【手続補正書】
【提出日】平成18年3月22日(2006.3.22)
【手続補正１】
【補正対象書類名】明細書
【補正対象項目名】特許請求の範囲
【補正方法】変更
【補正の内容】
【特許請求の範囲】
【請求項１】  基材上に体積ホログラム形成用樹脂組成物層が積層され、前記基材と体積ホログラム形成用樹脂組成物層との間又は体積ホログラム形成用樹脂組成物層上の少なくとも前者に移行制御層が積層され、前記移行制御層と前記体積ホログラム形成用樹脂組成物層の少なくともいずれかに、両層内での濃度差により両層間で移行する移行性物質を含有する事を特徴とするホログラム形成用材料。
【請求項２】  上記移行制御層が、体積ホログラム形成用樹脂組成物中に含まれる構成成分と同等又は類似したものからなることを特徴とする請求項１に記載のホログラム形成用材料。
【請求項３】  移行制御層を基材と体積ホログラム形成用樹脂組成物層との間にのみ有する請求項１〜２のいずれかに記載のホログラム形成用材料。
【請求項４】  移行制御層を、基材と体積ホログラム形成用樹脂組成物層との間および体積ホログラム形成用樹脂組成物層上の両方に有する請求項１〜２のいずれかに記載のホログラム形成用材料。
【請求項５】  基材上に体積ホログラム形成用樹脂組成物層および移行制御層が順次積層され、前記移行制御層と前記体積ホログラム形成用樹脂組成物層の少なくともいずれかに、両層内での濃度差により両層間で移行する移行性物質を含有する事を特徴とするホログラム形成用材料。
【請求項６】  基材上に体積ホログラム形成用樹脂組成物層を形成する工程と基材と体積ホログラム形成用樹脂組成物層の間又は体積ホログラム形成用樹脂組成物層上の少なくとも前者に移行制御層を形成する工程とを行ない、その後、ホログラムを露光し、露光後、移行を起こさせる事からなり、前記移行制御層と前記体積ホログラム形成用樹脂組成物層の少なくともいずれかに、両層内での濃度差により両層間で移行する移行性物質を含有する事を特徴とするホログラムの製造方法。
【請求項７】  移行制御層を基材と体積ホログラム形成用樹脂組成物層の間にのみ形成する請求項６のホログラムの製造方法。
【請求項８】  移行制御層を基材と体積ホログラム形成用樹脂組成物層の間および体積ホログラム形成用樹脂組成物層上の両方に形成する請求項６のホログラムの製造方法。
【請求項９】  基材上に体積ホログラム形成用樹脂組成物層を形成する工程と移行制御層を形成する工程とを順次行ない、その後、ホログラムを露光し、露光後、移行を起こさせる事からなり、前記体積ホログラム形成用樹脂組成物層と移行制御層のいずれかに、両層内での濃度差により両層間で移行する移行性物質を含有する事を特徴とするホログラムの製造方法。
【手続補正２】
【補正対象書類名】明細書
【補正対象項目名】０００８
【補正方法】変更
【補正の内容】
【０００８】
請求項１の発明は、基材上に体積ホログラム形成用樹脂組成物層が積層され、前記基材と体積ホログラム形成用樹脂組成物層との間又は体積ホログラム形成用樹脂組成物層上の少なくとも前者に移行制御層が積層され、前記移行制御層と前記体積ホログラム形成用樹脂組成物層の少なくともいずれかに、両層内での濃度差により両層間で移行する移行性物質を含有する事を特徴とするホログラム形成用材料に関するものである。
請求項２の発明は、請求項１において、上記移行制御層が、体積ホログラム形成用樹脂組成物中に含まれる構成成分と同等又は類似したものからなるホログラム形成用材料に関するものである。
【手続補正３】
【補正対象書類名】明細書
【補正対象項目名】０００９
【補正方法】変更
【補正の内容】
【０００９】
請求項３の発明は、請求項１〜２において、移行制御層を基材と体積ホログラム形成用樹脂組成物層との間にのみ有するホログラム形成用材料に関するものである。
【手続補正４】
【補正対象書類名】明細書
【補正対象項目名】００１０
【補正方法】変更
【補正の内容】
【００１０】
請求項４の発明は、請求項１〜２において、移行制御層を、基材と体積ホログラム形成用樹脂組成物層との間および体積ホログラム形成用樹脂組成物層上の両方に有するホログラム形成用材料に関するものである。
【手続補正５】
【補正対象書類名】明細書
【補正対象項目名】００１１
【補正方法】変更
【補正の内容】
【００１１】
請求項５の発明は、基材上に体積ホログラム形成用樹脂組成物層および移行制御層が順次積層され、前記移行制御層と前記体積ホログラム形成用樹脂組成物層の少なくともいずれかに、両層内での濃度差により両層間で移行する移行性物質を含有する事を特徴とするホログラム形成用材料に関するものである。
【手続補正６】
【補正対象書類名】明細書
【補正対象項目名】００１２
【補正方法】変更
【補正の内容】
【００１２】
請求項６の発明は、基材上に体積ホログラム形成用樹脂組成物層を形成する工程と基材と体積ホログラム形成用樹脂組成物層の間又は体積ホログラム形成用樹脂組成物層上の少なくとも前者に移行制御層を形成する工程とを行ない、その後、ホログラムを露光し、露光後、移行を起こさせる事からなり、前記移行制御層と前記体積ホログラム形成用樹脂組成物層の少なくともいずれかに、両層内での濃度差により両層間で移行する移行性物質を含有する事を特徴とするホログラムの処理方法に関するものである。
【手続補正７】
【補正対象書類名】明細書
【補正対象項目名】００１３
【補正方法】変更
【補正の内容】
【００１３】
請求項７の発明は、請求項６において、移行制御層を基材と体積ホログラム形成用樹脂組成物層の間にのみ形成するホログラムの処理方法に関するものである。
【手続補正８】
【補正対象書類名】明細書
【補正対象項目名】００１４
【補正方法】変更
【補正の内容】
【００１４】
請求項８の発明は、請求項６において、移行制御層を基材と体積ホログラム形成用樹脂組成物層の間および体積ホログラム形成用樹脂組成物層上の両方に形成するホログラムの処理方法に関するものである。
【手続補正９】
【補正対象書類名】明細書
【補正対象項目名】００１５
【補正方法】変更
【補正の内容】
【００１５】
請求項９の発明は、基材上に体積ホログラム形成用樹脂組成物層を形成する工程と移行制御層を形成する工程とを順次行ない、その後、ホログラムを露光し、露光後、移行を起こさせる事からなり、前記体積ホログラム形成用樹脂組成物層と移行制御層のいずれかに、両層内での濃度差により両層間で移行する移行性物質を含有する事を特徴とするホログラムの処理方法に関するものである。
【手続補正１０】
【補正対象書類名】明細書
【補正対象項目名】００５４
【補正方法】変更
【補正の内容】
【００５４】
【発明の効果】
請求項１の発明によれば、ホログラム形成後に移行性物質の移行を制御できるので、ホログラム層の厚みを所望の状態にすることができる。
請求項２の発明によれば、移行制御層の移行性物質として、体積ホログラム形成用樹脂組成物中に含まれる構成成分と同等又は類似したものを使用しても、請求項１の発明の効果が得られる。
【手続補正１１】
【補正対象書類名】明細書
【補正対象項目名】００５５
【補正方法】変更
【補正の内容】
【００５５】
請求項３の発明によれば、請求項１〜２の発明の効果に加え、移行性物質の移行をホログラム層の下層との間で制御することができる。
【手続補正１２】
【補正対象書類名】明細書
【補正対象項目名】００５６
【補正方法】変更
【補正の内容】
【００５６】
請求項４の発明によれば、請求項１〜２の発明の効果に加え、移行性物質の移行をホログラム層の下層と上層の両方の層との間で行えるので、移行を起こせるにも、移行を停止させるにも効率がよい。
【手続補正１３】
【補正対象書類名】明細書
【補正対象項目名】００５７
【補正方法】変更
【補正の内容】
【００５７】
請求項５の発明によれば、移行性物質の移行をホログラム層の上層との間で制御することができる。このタイプのものは、露光後に移行制御層を形成する事もできるので、露光の際に光学的な支障が発生する恐れがなく、また、下層との接着強度を調整することより、使用後に移行制御層を剥離することが可能になる。
【手続補正１４】
【補正対象書類名】明細書
【補正対象項目名】００５８
【補正方法】変更
【補正の内容】
【００５８】
請求項６の発明によれば、ホログラム形成後に移行性物質の移行を、移行の方向、移行の停止を含めて制御できるので、ホログラム層の厚みを所望の状態にすることができる。
【手続補正１５】
【補正対象書類名】明細書
【補正対象項目名】００５９
【補正方法】変更
【補正の内容】
【００５９】
請求項７の発明によれば、請求項６の発明の効果に加え、移行性物質の移行をホログラム層の下層との間で制御することができる。
【手続補正１６】
【補正対象書類名】明細書
【補正対象項目名】００６０
【補正方法】変更
【補正の内容】
【００６０】
請求項８の発明によれば、請求項６の発明の効果に加え、移行性物質の移行をホログラム層の下層と上層の両方の層との間で行えるので、移行を起こせるにも、移行を停止させるにも効率がよい。
【手続補正１７】
【補正対象書類名】明細書
【補正対象項目名】００６１
【補正方法】変更
【補正の内容】
【００６１】
請求項９の発明によれば、移行性物質の移行をホログラム層の上層との間で制御することができる。この方法によれば、露光後に移行制御層を形成する事もできるので、露光の際に光学的な支障が発生する恐れがなく、また、下層との接着強度を調整することより、使用後に移行制御層を剥離することが可能になる。